(57)【要約】【課題】大量の水をシンクに溜め一気に破砕室と排出室に落とし、破砕室とくに排出管を洗浄させる。【構成】シンク１の排水口に取り付けたディスポーザに、投入口１４に装着したスイッチ蓋１３を一定角度回動させることにより選択した運転モードで起動させる蓋スイッチ機構をそなえ、スイッチ蓋１３に通水孔１５と上面に突設させてスイッチ蓋を回動させるつまみ部材１６を設け、前記スイッチ蓋１３の通水孔１５を覆いつまみ部材１６に係合してスイッチ蓋１３を回動させる係合部２１を形成した着脱可能なめくら蓋２０をそなえ、スイッチ蓋１３を投入口１４に挿入し回動させないままの状態で、めくら蓋２０を装着してシンク１に水を溜め、水を溜めた後に、めくら蓋２０を係合部２１でスイッチ蓋１３とともに回動させモータを起動させて引き上げ、通水孔１５から破砕室に水を落下させる。【選択図】        図１
2008114156.tif 000002
【特許請求の範囲】
【請求項１】
シンクの排水口に取り付け、投入口に装着するスイッチ蓋をそなえ、装着したスイッチ蓋を一定角度回動させることによりそれぞれの運転モードで起動させる蓋スイッチ機構をそなえたディスポーザにおいて、前記スイッチ蓋に通水孔と上面に突設して蓋を回動させるつまみ部材を設け、スイッチ蓋の通水孔を含む全面を覆い前記つまみ部材に係合して回動させる係合部を形成した着脱可能なめくら蓋をそなえていることを特徴とするディスポーザ。
【発明の詳細な説明】
【技術分野】
【０００１】
本発明は、シンクの排水口に取り付けられ、シンクに水を溜めて洗浄を行ない得るようにしたディスポーザに関する。
【背景技術】
【０００２】
従来、シンクの排水口にディスポーザを取り付けた場合、ディスポーザ内部を洗浄するためシンクから水を流し込んで洗浄しているが、シンクに水を溜めて大量の水をディスポーザ内に供給することが望ましく、また、大量の水を一気に流すことによりディスポーザから下水管に連結する排水管の洗浄を行なうことができる。
なお、ディスポーザを破砕処理や洗浄などの各モードで運転するために、投入口の周囲に複数個の運転モードに対応するセンサーを設け、通水孔を有する蓋を投入口の指標に合わせて装着し、一定角度回動させた位置で蓋に埋め込んだマグネットによりセンサーを選択動作させて各モードの運転を行なわせるとともに、蓋を外したときはすべての運転ができないようにした蓋スイッチ機構が用いられている。（たとえば特許文献１）
【０００３】
また、内部の点検や清掃のため上部の投入口が大きいディスポーザを用い、投入口に環状のアダプタとアダプタに着脱する蓋（必要により菊割れキャップ）を設け、蓋を外して厨芥を投入し、アダプタと蓋をそれぞれ正しい位置に装着したときに破砕を行わせることができ、清掃時はアダプタを外して大口径にするとともに運転ができないようにしたディスポーザが提案されている。（特許文献２）
【特許文献１】特開２００３−８００９８号
【特許文献２】特開２００２−２４８３６８号
【発明の開示】
【発明が解決しようとする課題】
【０００４】
このような蓋スイッチ機構をそなえたディスポーザを取り付けたシンクにおいて、シンクに水を溜めるためには、通水孔をそなえ投入口に装着している運転モードを選択するためのスイッチ蓋とは別のめくら蓋を装着することにより水を溜めることができる。
しかし、水を溜めた後に、めくら蓋を外して通水孔を有するスイッチ蓋を洗浄などの運転モードに合わせて装着し所定角度位置に回動させねばならず、蓋の取り替えに手間と時間がかかり、この間はモータが停止状態になるので回転板やインペラを駆動させることができず、シンク内の水が単にディスポーザ内を通って排出されてしまい、洗浄効果を得ることができなかった。
【０００５】
なお、あらかじめスイッチ蓋を洗浄モードに合わせた位置に装着しておき、めくら蓋を重ねて装着し、水を溜めた後に、めくら蓋を外してスイッチ蓋を所定の角度回すことにより洗浄モードで起動させることはできるが、この場合も、めくら蓋を外して取り出し、水中のスイッチ蓋を回して運転を開始させる必要があり、起動させるまでに時間を要し、めくら蓋を外した瞬間からシンクの水がスイッチ蓋の通水孔から流出し、洗浄運転を開始するときには水量が減少してしまう欠点がある。
本発明は、シンクに水を溜めためくら蓋を取り除くとともに洗浄モードで起動ができるようにした蓋構造を提供する。
【課題を解決するための手段】
【０００６】
このため、シンクの排水口に取り付け、排水口に連結した投入口に装着し通水孔を有するスイッチ蓋をそなえ、装着したスイッチ蓋を一定角度回動させることによりそれぞれの運転モードで起動させる蓋スイッチ機構をそなえたディスポーザにおいて、前記スイッチ蓋の上面に蓋を回動させるためのつまみ部材を突設し、スイッチ蓋の通水孔を含めた全面を覆い前記つまみ部材に係合する係合部を形成しためくら蓋をそなえており、通水孔を有するスイッチ蓋を投入口に装着した状態でめくら蓋を装着して通水孔を覆い、シンクに水を溜めた後に、めくら蓋の係合部でつまみ部材を介してめくら蓋とともにスイッチ蓋を一定角度回動させ、スイッチ蓋を回転板とインペラを起動させる位置にした状態でめくら蓋を取り外すようにしている。
【発明の効果】
【０００７】
このように蓋スイッチ機構をそなえたディスポーザにおいて、蓋スイッチ機構のスイッチ蓋の通水孔を覆い、スイッチ蓋を回動させる係合部を形成しためくら蓋を設けているため、めくら蓋を装着してシンクに水を溜め、回転板とインペラを起動させてめくら蓋を取り除くことができ、シンクに溜めた水を無駄なく使用して洗浄効果を上げ、インペラで大量の水を一気に排出させて排水管内の洗浄を有効に行なうことができる。
【実施例】
【０００８】
これを図に示す実施例について説明する
１はシンク、２はディスポーザ、３は取付管で内周面に蓋スイッチ機構を構成するスライド溝４を設け、上面に運転モード表示をしており、運転動作位置に磁気センサー５をそなえている。６は破砕室、７は回転板、８は厨芥を破砕する打撃刃、９はインペラ、１０は排出室、１１は回転板インペラを駆動するモータ、１２は排出管の一部である。１３は取付管３上部の投入口１４に装着されたスイッチ蓋で、底面に通水孔１５を設け、中央部につまみ部材１６を突設させており、マグネット１７を埋め込んでいる。このスイッチ蓋１３の係合突起１８を運転モードの指標１９に合わせて取付管３の投入口１４に設けたスライド溝４に挿入する。図３は洗浄モードを選択して挿入した場合を示しており、スライド溝４に沿って右へ３０度回動させると、マグネット１７が磁気センサー５を動作させ洗浄動作を起動させる。２０は前記スイッチ蓋１３の上に重ねて装着し、通水孔１５を覆うめくら蓋で、つまみ部材１６に係合する係合部２１を形成している。
【０００９】
シンク１に溜めた水で洗浄を行なう場合の動作を説明する。
まずスイッチ蓋１３を洗浄の指標１９に合わせて挿入し回動していない状態のままで、めくら蓋２０をスイッチ蓋１３の上に係合部２１をつまみ部材１６に嵌め込んで装着し、シンクに水を溜める。水を溜めた後に、めくら蓋２０の係合部２１を介してつまみ部材１６とともにスイッチ蓋１３を右へ回動させると係合突起１８がスライド溝４の右端まで移動してマグネット１７が磁気センサー５を動作させ、モータ１１が起動し回転板７とインペラ９を回転させる。めくら蓋２０を係合突起１８がスライド溝４の右端に当たると同時に引き上げると、シンク１内の水は通水孔１５から破砕室６に急激に落下し、回転している回転板７で跳ね飛ばされ破砕室６内を洗浄し、排出室１０に落ちる大量の水がインペラ９により急速に排出されて排出管１２内を勢いよく流れて効果的に洗浄する。
【図面の簡単な説明】
【００１０】
【図１】本発明を実施したディスポーザの側断面図である。
【図２】めくら蓋の例を示す（ａ）上面図と（ｂ）側断面図である。
【図３】スイッチ蓋を挿入した取付管の上面図である。
【図４】取付管の側断面図である。
【符号の説明】
【００１１】
１  シンク
２  ディスポーザ
３  取付管
４  スライド溝
５  磁気センサー
６  破砕室
７  回転板
８  打撃刃
９  インペラ
１０  排出室
１１  モータ
１２  排出管
１３  スイッチ蓋
１４  投入口
１５  通水孔
１６  つまみ部材
１７  マグネット
１８  係合突起
１９  指標
２０  めくら蓋
２１  係合部
【図１】
2008114156.tif 000003
【図２】
2008114156.tif 000004
【図３】
2008114156.tif 000005
【図４】
2008114156.tif 000006